【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
インクを吐出する複数のノズルが所定方向に配列されたノズル列を有する記録ヘッドと記録媒体との前記所定方向と交差する方向への相対的な移動と、前記ノズル列が前記所定方向に沿って分割されてなる複数のノズルブロックのうちの１つの前記ノズルブロックの長さに対応した前記記録ヘッドと前記記録媒体との前記所定方向に沿った相対的な移動と、を行い、前記複数のノズル毎に定められた、前記記録ヘッドの１回の移動によって前記ノズルが通過する領域内の画素の数に対する前記ノズルが記録することを許容する画素の数の割合を定めた記録許容比率に基づき前記記録媒体に記録を行うための制御を行う記録制御装置であって、
第１のノズルブロック内の隣接する前記ノズルブロックとの境界部に配列される複数の前記ノズル以外の前記ノズルにより構成される非境界ノズル群のそれぞれの前記ノズルにおける前記記録許容比率は第１の比率にほぼ一定に定められ、前記第１のノズルブロックと隣接する第２のノズルブロック内の前記非境界ノズル群のそれぞれの前記ノズルにおける前記記録許容比率は前記第１の比率より大きい第２の比率にほぼ一定に定められ、前記第１および第２のノズルブロック内の境界部に配列される複数の前記ノズルにより構成される境界ノズル群のそれぞれの前記ノズルにおける前記記録許容比率は前記第１の比率と前記第２の比率との中間の比率となるように定められることを特徴とする記録制御装置。
【請求項２】
前記複数のノズルブロック内の前記非境界ノズル群のそれぞれの前記ノズルにおける前記記録許容比率は、それぞれほぼ一定の比率であることを特徴とする請求項１に記載の記録制御装置。
【請求項３】
前記複数のノズルブロック内のそれぞれの前記境界ノズル群の前記ノズルの数は、前記非境界ノズル群の数よりも少ないことを特徴とする請求項１または２に記載の記録制御装置。
【請求項４】
前記第１および第２の比率の差は、前記第１のノズルブロック内の前記非境界ノズル群の複数の前記ノズルにおける前記記録許容比率の変化の最大量および前記第２のノズルブロック内の前記非境界ノズル群の複数の前記ノズルにおける前記記録許容比率の変化の最大量のいずれよりも大きいことを特徴とする請求項１から３のいずれか１項に記載の記録制御装置。
【請求項５】
前記所定方向の両端に位置する２つの前記ノズルブロックの前記非境界ノズル群のそれぞれの前記ノズルにおける前記記録許容比率は、それぞれ前記両端に位置する２つのノズルブロックの間に位置する前記ノズルブロックの前記非境界ノズル群のそれぞれの前記ノズルにおける前記記録許容比率よりも小さいことを特徴とする請求項１から４のいずれか１項に記載の記録制御装置。
【請求項６】
前記第１および第２のノズルブロックの前記境界ノズル群のそれぞれの前記ノズルにおける前記記録許容比率は、前記ノズルの位置が前記第１のブロックから前記第２のブロックに向かうに応じて前記第１の比率から前記第２の比率まで単調に増加することを特徴とする請求項１から５のいずれか１項に記載の記録制御装置。
【請求項７】
インクを吐出する複数のノズルが所定方向に配列されたノズル列を有する記録ヘッドと記録媒体との前記所定方向と交差する方向への相対的な移動と、前記ノズル列が前記所定方向に沿って分割されてなる複数のノズルブロックのうちの１つの前記ノズルブロックの長さに対応した前記記録ヘッドと前記記録媒体との前記所定方向にそった相対的な移動と、を行い、前記複数のノズル毎に定められた、前記記録ヘッドの１回の移動によって前記ノズルが通過する領域内の画素の数に対する前記ノズルが記録することを許容する画素の数の割合を定めた記録許容比率に基づき前記記録媒体に記録を行うための制御を行う記録制御方法であって、
第１のノズルブロック内の隣接する前記ノズルブロックとの境界部に配列される複数の前記ノズル以外の前記ノズルにより構成される非境界ノズル群のそれぞれの前記ノズルにおける前記記録許容比率は第１の比率にほぼ一定に定められ、前記第１のノズルブロックと隣接する第２のノズルブロック内の前記非境界ノズル群のそれぞれの前記ノズルにおける前記記録許容比率は前記第１の比率より大きい第２の比率にほぼ一定に定められ、前記第１および第２のノズルブロック内の境界部に配列される複数の前記ノズルにより構成される境界ノズル群のそれぞれの前記ノズルにおける前記記録許容比率は前記第１の比率と前記第２の比率との中間の比率となるように定められることを特徴とする記録制御方法。
【請求項８】
前記複数のノズルブロック内の前記非境界ノズル群のそれぞれの前記ノズルにおける前記記録許容比率は、それぞれほぼ一定の比率であることを特徴とする請求項７に記載の記録制御方法。
【請求項９】
前記複数のノズルブロック内のそれぞれの前記境界ノズル群の前記ノズルの数は、前記非境界ノズル群の数よりも少ないことを特徴とする請求項７または８に記載の記録制御方法。
【請求項１０】
前記第１および第２の比率の差は、前記第１のノズルブロック内の前記非境界ノズル群の複数の前記ノズルにおける前記記録許容比率の変化の最大量および前記第２のノズルブロック内の前記非境界ノズル群の複数の前記ノズルにおける前記記録許容比率の変化の最大量のいずれよりも大きいことを特徴とする請求項７から９のいずれか１項に記載の記録制御方法。
【請求項１１】
前記所定方向の両端に位置する２つの前記ノズルブロックの前記非境界ノズル群のそれぞれの前記ノズルにおける前記記録許容比率は、それぞれ前記両端に位置する２つのノズルブロックの間に位置する前記ノズルブロックの前記非境界ノズル群のそれぞれの前記ノズルにおける前記記録許容比率よりも小さいことを特徴とする請求項７から１０のいずれか１項に記載の記録制御方法。
【請求項１２】
前記第１および第２のノズルブロックの前記境界ノズル群のそれぞれの前記ノズルにおける前記記録許容比率は、前記ノズルの位置が前記第１のブロックから前記第２のブロックに向かうに応じて前記第１の比率から前記第２の比率まで単調に増加することを特徴とする請求項７から１１のいずれか１項に記載の記録制御方法。
【請求項１３】
請求項７から１２のいずれか１項に記載の記録制御方法を実行するためのプログラム。
【手続補正２】
【補正対象書類名】明細書
【補正対象項目名】発明の名称
【補正方法】変更
【補正の内容】
【発明の名称】記録制御装置および記録制御方法
【手続補正３】
【補正対象書類名】明細書
【補正対象項目名】０００１
【補正方法】変更
【補正の内容】
【０００１】
本発明は、記録ヘッドの記録に伴う移動（記録走査）と記録媒体の搬送動作を繰り返すことにより記録媒体に段階的に画像を形成する、シリアル型の記録装置のための記録制御装置および記録制御方法に関する。
【手続補正４】
【補正対象書類名】明細書
【補正対象項目名】００１２
【補正方法】変更
【補正の内容】
【００１２】
本発明は、上記問題点を解決するためになされたものである。よってその目的とするところは、「ハンド間むら」、「つなぎすじ」および「バンド内むら」を同時に解決可能な記録制御装置および記録制御方法を提供することである。
【手続補正５】
【補正対象書類名】明細書
【補正対象項目名】００１３
【補正方法】変更
【補正の内容】
【００１３】
そのために本発明においては、インクを吐出する複数のノズルが所定方向に配列されたノズル列を有する記録ヘッドと記録媒体との前記所定方向と交差する方向への相対的な移動と、前記ノズル列が前記所定方向に沿って分割されてなる複数のノズルブロックのうちの１つの前記ノズルブロックの長さ対応した前記記録ヘッドと前記記録媒体との前記所定方向に沿った相対的な移動と、を行い、前記複数のノズル毎に定められた、前記記録ヘッドの１回の移動によって前記ノズルが通過する領域内の画素の数に対する前記ノズルが記録することを許容する画素の数の割合を定めた記録許容比率に基づき前記記録媒体に記録を行うための制御を行う記録制御装置であって、第１のノズルブロック内の隣接する前記ノズルブロックとの境界部に配列される複数の前記ノズル以外の前記ノズルにより構成される非境界ノズル群のそれぞれの前記ノズルにおける前記記録許容比率は第１の比率にほぼ一定に定められ、前記第１のノズルブロックと隣接する第２のノズルブロック内の前記非境界ノズル群のそれぞれの前記ノズルにおける前記記録許容比率は前記第１の比率より大きい第２の比率にほぼ一定に定められ、前記第１および第２のノズルブロック内の境界部に配列される複数の前記ノズルにより構成される境界ノズル群のそれぞれの前記ノズルにおける前記記録許容比率は前記第１の比率と前記第２の比率との中間の比率となるように定められることを特徴とする。